(57)【要約】【課題】ゴキブリの一般的な生息環境で使用されるゴキブリ捕獲器において、ゴキブリの種類や性別等によらず捕獲率を高めてゴキブリを効率良く駆除できるようにする。【解決手段】捕獲用空間Ｒを有する容器２の壁部６に、大型侵入口１０、１５と小型侵入口２０、２５とを設ける。大型侵入口１０、１５の上下方向の寸法を、チャバネゴキブリ、クロゴキブリ及びワモンゴキブリが侵入し易い範囲である２３ｍｍ以上４５ｍｍ以下に設定する。小型侵入口２０、２５の上下方向の寸法を、上記３種類のゴキブリが侵入し易い範囲である８ｍｍ以上１７ｍｍ以下に設定する。【選択図】図１
2007159521.tif 000002
【特許請求の範囲】
【請求項１】
捕獲用空間を有する容器と、
上記容器の壁部に設けられ、上記捕獲用空間に連通するゴキブリ侵入用の第１侵入口及び第２侵入口とを備え、
上記第１侵入口の上下方向の寸法が、８ｍｍ以上１７ｍｍ以下に設定され、
上記第２侵入口の上下方向の寸法が、２３ｍｍ以上４５ｍｍ以下に設定されていることを特徴とするゴキブリ捕獲器。
【請求項２】
請求項１に記載のゴキブリ捕獲器において、
容器の壁部には、複数の第１侵入口が互いに離れて設けられていることを特徴とするゴキブリ捕獲器。
【請求項３】
請求項１または２に記載のゴキブリ捕獲器において、
容器の壁部には、複数の第２侵入口が互いに離れて設けられていることを特徴とするゴキブリ捕獲器。
【請求項４】
請求項１から３のいずれか１つに記載のゴキブリ捕獲器において、
第１侵入口及び第２侵入口は、容器の壁部に上下方向に開口幅を有するように設けられ、
上記容器の壁部における第１侵入口の上方には、捕獲用空間に連通するゴキブリ侵入用の第３侵入口が設けられていることを特徴とするゴキブリ捕獲器。
【請求項５】
請求項４に記載のゴキブリ捕獲器において、
第３侵入口の上下方向の寸法が、８ｍｍ以上１７ｍｍ以下に設定されていることを特徴とするゴキブリ捕獲器。
【発明の詳細な説明】
【技術分野】
【０００１】
本発明は、ゴキブリを捕獲し駆除する際に使用されるゴキブリ捕獲器に関するものである。
【背景技術】
【０００２】
一般に、住居や飲食店等に生息するゴキブリは、人に不快感を与えるとともに病原菌等の媒体となることもある害虫なので、例えば特許文献１、２に開示されているようなゴキブリ捕獲器を使用して捕獲し駆除することが行われている。
【０００３】
特許文献１、２のゴキブリ捕獲器は、ゴキブリが持っている習性の１つである、狭く暗い所を好むことを利用して捕獲するように構成されたものである。具体的には、特許文献１のゴキブリ捕獲器は、捕獲用空間を有する箱形の容器を備えている。この容器の天井部は底壁部に対し傾斜している。容器の周壁部には、天井部の低い側と高い側とにゴキブリ侵入用の侵入口がそれぞれ設けられている。天井部の低い側に位置する侵入口の上下方向の寸法は、高い側に位置する侵入口の上下方向の寸法よりも短く設定されている。
【０００４】
また、特許文献２のゴキブリ捕獲器の容器にも、２つの侵入口が設けられており、一方の侵入口の上下方向の寸法は、他方の侵入口の上下方向の寸法よりも短く設定されている。
【特許文献１】実公昭６０−６２０７号公報
【特許文献２】特開２００２−１５５号公報
【発明の開示】
【発明が解決しようとする課題】
【０００５】
ところで、住居や飲食店等の一般的な生息環境に生息しているゴキブリは、通常、１種類だけではなく、体躯の互いに異なる複数種が混在している。しかも、これら各種のゴキブリにはそれぞれに雄と雌とがいるとともに、雌の中にも卵鞘を持ったものがいる。そして、種類の異なるゴキブリ間ではその習性において異なる部分があるとともに、雄、雌及び卵鞘を持ったものの間でもその習性において異なる部分がある。
【０００６】
このように一般的な生息環境には習性が異なったゴキブリが混在していることに対し、特許文献１、２のように１つの容器に形状が異なる２種類の侵入口を設けたゴキブリ捕獲器を使用することで、上下方向の寸法が比較的短い侵入口から侵入し易いゴキブリと、上下方向の寸法が比較的長い侵入口から侵入し易いゴキブリとの捕獲率を共に高めることが考えられる。しかしながら、ゴキブリは、著しく発達した長い触角を持っているとともに警戒心が極めて強く、周囲の状況を敏感に察知しようとするものなので、容器に単に形状が異なる２つの侵入口を形成しただけでは、ゴキブリの種類や性別等によらず捕獲率を高めるのは困難である。
【０００７】
本発明は斯かる点に鑑みてなされたものであり、その目的とするところは、ゴキブリの一般的な生息環境で使用されるゴキブリ捕獲器において、ゴキブリの種類や性別等によらず捕獲率を高めてゴキブリを効率良く駆除できるようにすることにある。
【課題を解決するための手段】
【０００８】
上記目的を達成するために、本発明者がゴキブリ侵入用の侵入口の形状について研究し検討する過程で、種類の異なるゴキブリ間やそれらの雄、雌及び卵鞘を持ったものの間で捕獲率を高めるのに利用可能な略共通した習性が存在することを見出し、容器の複数の侵入口の形状をこの習性に基づいて設定した。
【０００９】
具体的には、請求項１の発明では、捕獲用空間を有する容器と、上記容器の壁部に設けられ、上記捕獲用空間に連通するゴキブリ侵入用の第１侵入口及び第２侵入口とを備え、上記第１侵入口の上下方向の寸法が、８ｍｍ以上１７ｍｍ以下に設定され、上記第２侵入口の上下方向の寸法が、２３ｍｍ以上４５ｍｍ以下に設定されている構成とする。
【００１０】
すなわち、一般的な生息環境に生息する主要な３種類のゴキブリである、チャバネゴキブリ、クロゴキブリ及びワモンゴキブリを対象にして、容器の侵入口の上下方向の寸法を変化させた場合の捕獲率の増減を表す図１２の捕獲実験結果より明らかなように、侵入口の上下方向の寸法が８ｍｍ以上１７ｍｍ以下の範囲と、２３ｍｍ以上４５ｍｍ以下の範囲とで３種類のゴキブリの捕獲率が顕著に高まり、これら２つの範囲を外れると捕獲率が低下する。この捕獲実験結果には、チャバネゴキブリに関しては、図９に示すように、雄、雌及び卵鞘をもった雌の捕獲率が反映されており、クロゴキブリ及びワモンゴキブリに関しては、図１０及び図１１に示すように、雄及び雌の捕獲率が反映されている。
【００１１】
上記侵入口の上下方向の寸法が８ｍｍよりも短い場合に捕獲率が低下するのは、各ゴキブリが侵入口に侵入する前に触角で該侵入口の上縁部と下縁部とに触れた際に自分の体躯に対して侵入口が狭すぎると察知して警戒するためである。また、上記侵入口の上下方向の寸法が４５ｍｍよりも長い場合に捕獲率が低下するのは、各ゴキブリの触角が侵入口の上縁部に届きにくくなり、該ゴキブリが侵入口を開口部として捉えずに広い空間が広がっていると判断してその方向には進まなくなるからである。また、侵入口の上下方向の寸法が１７ｍｍよりも長く２３ｍｍよりも短い範囲にある場合には、殆どのゴキブリは触角で侵入口の大きさを把握可能であるが、この範囲にある侵入口に対しては殆どのゴキブリが強く警戒して侵入口へ入りたがらなくなる。つまり、上記捕獲実験結果より、チャバネゴキブリの雄、雌及び卵鞘を持った雌と、クロゴキブリ及びワモンゴキブリの各々の雄及び雌とは、上記した略共通する習性を有していることが見出された。
【００１２】
従って、１つの容器に、上下方向の寸法が８ｍｍ以上１７ｍｍ以下の第１侵入口と、２３ｍｍ以上４５ｍｍ以下の第２侵入口とを設けることで、ゴキブリの種類や性別等によらず捕獲率を高めることが可能になる。
【００１３】
請求項２の発明では、請求項１の発明において、容器の壁部には、複数の第１侵入口が互いに離れて設けられている構成とする。
【００１４】
請求項３の発明では、請求項１または２の発明において、容器の壁部には、複数の第２侵入口が互いに離れて設けられている構成とする。
【００１５】
上記請求項２、３の構成によれば、高い捕獲率を得ることが可能な形状の侵入口が容器に複数設けられることになる。
【００１６】
請求項４の発明では、請求項１から３のいずれか１つの発明において、第１侵入口及び第２侵入口は、容器の壁部に上下方向に開口幅を有するように設けられ、上記容器の壁部における第１侵入口の上方には、捕獲用空間に連通するゴキブリ侵入用の第３侵入口が設けられている構成とする。
【００１７】
この構成によれば、上下方向の寸法が第２侵入口よりも短い第１侵入口の上方に、第３侵入口を設けたので、容器を上下方向にコンパクトにしながら、侵入口の数を増やすことが可能になる。
【００１８】
請求項５の発明では、請求項４の発明において、第３侵入口の上下方向の寸法が、８ｍｍ以上１７ｍｍ以下に設定されている構成とする。
【００１９】
この構成によれば、第３侵入口の形状を高い捕獲率が得られる形状にすることが可能になる。
【発明の効果】
【００２０】
請求項１の発明によれば、捕獲用空間を有する容器に、上下方向の寸法が８ｍｍ以上１７ｍｍ以下に設定された第１侵入口と、上下方向の寸法が２３ｍｍ以上４５ｍｍ以下に設定された第２侵入口とを設けたので、種類の異なるゴキブリ間やそれらの雄、雌及び卵鞘を持った雌の間で略共通した習性を利用して捕獲率を高めることができる。これにより、ゴキブリの種類や性別等によらずゴキブリを効率良く捕獲して駆除できる。
【００２１】
請求項２、３の発明によれば、高い捕獲率を得ることが可能な形状の侵入口を容器に複数設けることができるので、ゴキブリの捕獲率をより一層高めることができる。
【００２２】
請求項４の発明によれば、上下方向の寸法が第２侵入口よりも短い第１侵入口の上方に、第３侵入口を設けたので、容器をコンパクトにしながら侵入口の数を増やして捕獲率を高めることができる。
【００２３】
請求項５の発明によれば、第３侵入口の上下方向の寸法を８ｍｍ以上１７ｍｍ以下に設定したので、ゴキブリの捕獲率をより一層高めることができる。
【発明を実施するための最良の形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１及び図２は、本発明の実施形態に係るゴキブリ捕獲器１を示すものである。このゴキブリ捕獲器１は、所定の形状に切断されたボール紙を折り曲げて構成された大略矩形箱状の容器２を備えており、この容器２の内部空間がゴキブリ捕獲用空間Ｒである。尚、容器２の材料としては、ボール紙以外にも例えば樹脂板等を用いることが可能である。
【００２６】
上記容器２の長手方向一側の約１／３の部分は、図３にも示すように、上下方向の寸法が他の部分に比べて短く設定された低天井部３とされ、容器２の低天井部３以外の部分は、上下方向の寸法が上記低天井部３よりも高く設定された高天井部４とされている。これら低天井部３と高天井部４とによって容器２の上部に段差が形成されている。
【００２７】
上記容器２の底壁部５は、容器２の長手方向に長い長方形の平板状に形成されている。この底壁部５には、周知の誘引剤や粘着剤が塗布されたシート（図示せず）が貼り付けられている。底壁部５の周縁部には、上方へ延びる周壁部６が連なっている。この周壁部６における両側壁部分６ａは、上記高天井部４及び低天井部３に対応するように、高天井部４側の上下方向の寸法が長く設定され、低天井部３側の上下方向の寸法が短く設定されている。これら両側壁部分６ａは、図３及び図４に示すように、上側へ行くほど容器２の中心部に近づく方向に傾斜している。図１及び図２に示すように、両側壁部分６ａの上縁部には、高天井部４側に高天井部側上壁部８が連なっており、低天井部３側に低天井部側上壁部９が連なっている。これら高天井部側上壁部８及び低天井部側上壁部９は、上記底壁部５と略平行に延びている。各図中の符号７は、ボール紙の端部同士を係合させるための係合部である。
【００２８】
上記周壁部６における高天井部４側の端壁部分には、図５にも示すように、略全体に亘ってゴキブリ侵入用の大型端部侵入口１０が形成されている。この大型端部侵入口１０の上縁部は高天井部側上壁部８の縁部で構成され、下縁部は、底壁部５の縁部で構成されている。
【００２９】
上記高天井部側上壁部８の大型端部侵入口１０側には、図１及び図６に示すように、底壁部５の縁部よりも容器２の外方へ延出した第１延出部８ａが設けられている。このため、大型端部侵入口１０の上縁部は、下縁部よりも容器２の外方へ離れている。また、周壁部６の両側壁部分６ａは、上記第１延出部８ａに対応して容器２の外方へ延びている。この両側壁部分６ａの縁部は、第１延出部８ａの縁部と底壁部５の縁部とを結ぶように傾斜している。
【００３０】
上記大型端部侵入口１０の上下方向の寸法Ｈ１（図１及び図５に示す）、即ち、大型端部侵入口１０の上縁部と下縁部との底壁部５に垂直な方向の離間寸法は、３０ｍｍに設定されている。大型端部侵入口１０の下縁部の長さ寸法Ｗａ１（図５に示す）は、９０ｍｍに設定され、上縁部の長さ寸法Ｗｂ１（図５に示す）は、４０ｍｍに設定されている。
【００３１】
また、図１及び図５に示すように、大型端部侵入口１０の下縁部には、容器２の内方へ向けて折り返された下部折り返し部１１が連続している。大型端部侵入口１０の両側縁部の下部には、容器２の内方へ向けて折り返された側部折り返し部１２が連続している。この側部折り返し部１２は、上記下部折り返し部１１の両端部に連続している。
【００３２】
図１及び図２に示すように、上記周壁部６の両側壁部分６ａには、同じ形状の大型側部侵入口１５がそれぞれ形成されている。これら大型側部侵入口１５は、上側へ行くほど開口幅が広がるように形成されている。高天井部側上壁部８の大型側部侵入口１５に対応する部位には、容器２の外方へ向けて延出する側部延出部８ｂがそれぞれ形成されている。大型側部侵入口１５の下縁部は、底壁部５の側縁部で構成されている。大型側部侵入口１５の下縁部には、上記容器２の内方へ向けて折り返された下部折り返し部１４が連続している。大型側部侵入口１５の上縁部は、側部延出部８ｂの外縁部で構成されている。
【００３３】
この大型側部侵入口１５の上下方向の寸法Ｈ２（図１及び図３に示す）、即ち、大型側部侵入口１５の上縁部と下縁部との底壁部５に垂直な方向の離間寸法は、上記大型端部侵入口１０の上下方向の寸法と同じに設定されている。また、大型側部侵入口１５の下縁部の長さ寸法Ｗ２（図３に示す）は、７０ｍｍに設定されている。
【００３４】
図２及び図３に示すように、上記周壁部６の低天井部３側の端壁部分６ｃは、上側へ行くほど容器２の中心部に近づくように傾斜している。この端壁部分６ｃに小型端部侵入口２０が形成されている。上記低天井部側上壁部９の小型端部侵入口２０に対応する部分には、容器２の外方へ向けて延出した延出部９ａが形成されている。小型端部侵入口２０の下縁部は、底壁部５の端縁部で構成されている。この小型端部侵入口２０の下縁部には、容器２の内方へ向けて折り返された下部折り返し部２３が連続している。小型端部侵入口２０の上縁部は、上記延出部９ａの外縁部で構成されている。
【００３５】
この小型端部侵入口２０の上下方向の寸法Ｈ３（図２及び図４に示す）、即ち、小型端部侵入口２０の上縁部と下縁部との底壁部５に垂直な方向の離間寸法は、１５ｍｍに設定されている。小型端部侵入口２０の上縁部及び下縁部の長さ寸法Ｗ３（図４に示す）は、６０ｍｍに設定されている。
【００３６】
図２及び図４に示すように、上記周壁部６における小型端部侵入口２０の上方には、小型上部侵入口２４が形成されている。この小型上部侵入口２４は、高天井部４と低天井部５との境界部分に位置している。高天井部側上壁部８の小型上部侵入口２４側の縁部には、容器２の外方へ向かって延出した第２延出部８ｃが設けられている。この小型上部侵入口２４の上下方向の寸法Ｈ４（図２及び図４に示す）は、上記小型端部侵入口２０の上下方向の寸法と同じに設定されている。また、小型上部侵入口２４の下縁部の長さ寸法Ｗ４（図４に示す）は、６０ｍｍに設定されている。
【００３７】
上記周壁部６の両側壁部分６ａには、図２及び図３に示すように、同じ形状の小型側部侵入口２５がそれぞれ形成されている。小型側部侵入口２５の上縁部は、低天井部側上壁部９の側縁部で構成されている。小型側部侵入口２５の下縁部は底壁部５の側縁部で構成されている。小型側部侵入口２５の下縁部には、上記容器２の内方へ向けて延びる折り返し部２６が連続している。この小型側部侵入口２５の上下方向の寸法Ｈ５（図２及び図３に示す）、即ち、小型側部侵入口２５の上縁部と下縁部との底壁部５に垂直な方向の離間寸法は、上記小型端部侵入口２０の上下方向の寸法と同じに設定されている。また、小型側部侵入口２５の下縁部の長さ寸法Ｗ５（図３に示す）は、５０ｍｍに設定されている。
【００３８】
上記大型端部侵入口１０、大型側部侵入口１５、小型端部侵入口２０、小型上部侵入口２４及び小型側部侵入口２５の上下方向の寸法Ｈ１〜Ｈ５を上記のように設定しているのは、以下に説明するゴキブリの捕獲実験結果に基づいている。
【００３９】
この捕獲実験で使用した試験容器Ｓは、該試験容器Ｓの外形状による捕獲率への影響を排除するために、図７に示すような単純な直方体としている。試験容器Ｓの長手方向の寸法Ｃは８０ｍｍに設定され、幅方向の寸法Ｄは４０ｍｍに設定されている。該試験容器Ｓの幅方向に延びる側壁部にゴキブリ侵入用の侵入口Ａが形成されている。この侵入口Ａの幅方向の寸法は、試験容器Ｓの幅方向の寸法Ｄと同じ４０ｍｍに固定し、上下方向の寸法Ｅを５ｍｍから５０ｍｍの範囲で変更する。具体的には、侵入口Ａの上下方向の寸法Ｅが、５ｍｍ、１０ｍｍ、１５ｍｍ、２０ｍｍ、２５ｍｍ、３０ｍｍ、４０ｍｍ、５０ｍｍに設定された試験容器Ｓを予め用意した。全ての試験容器Ｓ内には、一般にゴキブリ捕獲用として用いられている誘引剤及び粘着剤が塗布されたシート（図示せず）が貼り付けられている。
【００４０】
捕獲試験を行う試験フィールドＦは、図８に示すように、略正方形の平面で広さは２．３ｍ2である。上記試験容器Ｓは、侵入口Ａの上下方向の寸法Ｅが異なる２つを１組にして、試験フィールドＦの４隅に１組ずつ配置する。また、供試虫Ｋは、一般的なゴキブリの生息場所である住居や飲食店等において大部分を占める３種類とした。具体的には、チャバネゴキブリの雄１０匹、雌１０匹及び卵鞘を持った雌１０匹と、クロゴキブリの雄１０匹及び雌１０匹と、ワモンゴキブリの雄１０匹及び雌１０匹の３種類である。これらゴキブリを試験フィールドＦに一斉に放し、２４時間経過後に各試験容器Ｓで捕獲したゴキブリの数を確認する。これを試験容器Ｓの組み合わせを変えて複数回行う。
【００４１】
図９は、侵入口Ａの上下方向の寸法Ｅを変化させた場合に、チャバネゴキブリの捕獲率がどのように変化したかを示すものである。尚、この明細書で用いている捕獲率とは、試験容器Ｓで捕獲したゴキブリの数を試験開始時に放したゴキブリの数で除してから１００を乗じた値である。また、試験容器Ｓの上下方向の寸法Ｅは、上記のように所定間隔をあけて設定しているため、その所定間隔内にある寸法では試験を実施していないが、捕獲率の変化は曲線に示すようになる。また、雄、雌及び卵鞘を持った雌の捕獲率をまとめた結果を総合として表している。
【００４２】
この図９に明らかなように、雄、雌及び卵鞘をもっている雌の捕獲率が共に顕著に高くなっているのは、侵入口Ａの上下方向の寸法Ｅが７ｍｍ以上１６ｍｍ以下の範囲と、２７ｍｍ以上４５ｍｍ以下の範囲である。逆に、捕獲率が低くなっているのは、侵入口Ａの上下方向の寸法Ｅが、５ｍｍよりも長く７ｍｍよりも短い範囲と、１６ｍｍよりも長く２７ｍｍよりも短い範囲と、４５ｍｍよりも長い範囲である。このように、チャバネゴキブリの捕獲率は、雄、雌及び卵鞘をもっている雌の間で似たような値になる。
【００４３】
図１０は、侵入口Ａの上下方向の寸法Ｅを変化させた場合に、クロゴキブリの捕獲率がどのように変化したかを示すものである。この図１０に明らかなように、雄及び雌の捕獲率が共に顕著に高くなっているのは、侵入口Ａの上下方向の寸法Ｅが１２ｍｍ以上１７ｍｍ以下の範囲と、２３ｍｍ以上４５ｍｍ以下の範囲である。逆に、捕獲率が低くなっているのは、侵入口Ａの上下方向の寸法Ｅが５ｍｍよりも長く１２ｍｍよりも短い範囲と、１７ｍｍよりも長く２３ｍｍよりも短い範囲と、４５ｍｍよりも長い範囲である。このように、クロゴキブリの捕獲率も、雄及び雌の間で似たような値になる。
【００４４】
図１１は、侵入口Ａの上下方向の寸法Ｅを変化させた場合に、ワモンゴキブリの捕獲率がどのように変化したかを示すものである。この図１１に明らかなように、雄及び雌の捕獲率が共に顕著に高くなっているのは、侵入口Ａの上下方向の寸法Ｅが２３ｍｍ以上４０ｍｍ以下の範囲である。また、侵入口Ａの上下方向の寸法Ｅが１３ｍｍ以上１７ｍｍ以下の範囲では雄の捕獲率が高くなっている。逆に、捕獲率が低くなっているのは、侵入口Ａの上下方向の寸法Ｅが５ｍｍよりも長く１３ｍｍよりも短い範囲と、１７ｍｍよりも長く２３ｍｍよりも短い範囲と、４０ｍｍよりも長い範囲である。このように、ワモンゴキブリの捕獲率も、雄及び雌の間で似たような値になる。尚、侵入口Ａの上下方向の寸法Ｅが３０ｍｍにあるときにクロゴキブリの雄の捕獲率が低下しているのは、実験上の誤差によるものと考えられる。また、上記クロゴキブリ及びワモンゴキブリの総合とは、雄及び雌の捕獲率をまとめたものである。
【００４５】
チャバネゴキブリの総合の捕獲率と、クロゴキブリの総合の捕獲率と、ワモンゴキブリの総合の捕獲率とを示す図１２に明らかなように、３種類のゴキブリの捕獲率は、侵入口Ａの上下方向の寸法Ｅが８ｍｍ以上１７ｍｍ以下の範囲と、２３ｍｍ以上４５ｍｍ以下の範囲とで顕著に高まり、これら２つの範囲を外れると捕獲率が低下する。
【００４６】
上記侵入口Ａの上下方向の寸法Ｅが８ｍｍよりも短い場合には、各ゴキブリが侵入口Ａに侵入する前に触角で該侵入口Ａの上縁部と下縁部とに触れた際に自分の体躯に対して侵入口Ａが狭すぎると察知して警戒するため、捕獲率が低下する。また、侵入口Ａの上下方向の寸法Ｅが４５ｍｍよりも長い場合には、各ゴキブリの触角が侵入口Ａの上縁部に届きにくくなり、該ゴキブリが侵入口Ａを開口部として捉えずに広い空間が広がっていると判断してその方向には進まなくなるため、捕獲率が低下する。また、侵入口Ａの上下方向の寸法Ｅが１７ｍｍよりも長く２３ｍｍよりも短い範囲にある場合には、殆どのゴキブリは触角で侵入口Ａの大きさを把握可能であるが、上下方向の寸法Ｅがこの範囲にある侵入口Ａに対しては殆どのゴキブリが強く警戒して侵入口Ａへ入りたがらなくなるため、捕獲率が低下する。つまり、上記捕獲実験結果より、３種類のゴキブリの雄、雌及び卵鞘を持ったものは、上記した略共通する習性を有していることが見出された。
【００４７】
上記した侵入口Ａの上下方向の寸法Ｅを変更した場合の実験結果に基づいて、この実施形態では、大型端部侵入口１０及び大型側部侵入口１５の上下方向の寸法を３０ｍｍに設定し、小型端部侵入口２０、小型上部侵入口２４及び小型側部侵入口２５の上下方向の寸法を１５ｍｍに設定している。
【００４８】
また、図１３は、侵入口Ａの上下方向の寸法Ｅを１５ｍｍに固定して幅方向の寸法Ｄを変化させた場合に捕獲率がどのように変化したかを示すものである。この実験の条件は、上記した条件と同じであるが、供試虫Ｋは、チャバネゴキブリの雄、雌及び卵鞘を持った雌と、クロゴキブリの雄及び雌としている。また、試験容器Ｓについては、幅方向の寸法Ｄのみを３０ｍｍから１００ｍｍの範囲で変更する。具体的には、侵入口Ａの幅方向の寸法Ｄが、３０ｍｍ、４０ｍｍ、５０ｍｍ、６０ｍｍ、７０ｍｍ、８０ｍｍ、９０ｍｍ、１００ｍｍに設定された試験容器Ｓを用意した。この図１３に明らかなように、侵入口Ａの幅方向の寸法Ｄが３０ｍｍよりも狭いと、チャバネゴキブリ及びクロゴキブリの両方で捕獲率が略０になる。
【００４９】
また、図１４は、侵入口Ａの上下方向の寸法Ｅを３０ｍｍに固定して幅方向の寸法Ｄを変化させた場合に捕獲率がどのように変化したかを示すものである。この図１４に明らかなように、侵入口Ａの幅方向の寸法Ｄが６０ｍｍの場合に、チャバネゴキブリ及びクロゴキブリの捕獲率が共に低下し、７０ｍｍ及び９０ｍｍの場合に、チャバネゴキブリ及びクロゴキブリの捕獲率が共に高まる。
【００５０】
上記侵入口Ａの上下方向の寸法を３０ｍｍに固定した場合の実験結果に基づいて、この実施形態では、大型端部侵入口１０の下縁部の長さ寸法Ｗａ１を９０ｍｍに設定し、大型側部侵入口１５の下縁部の長さ寸法Ｗ２を７０ｍｍに設定している。また、上記侵入口Ａの上下方向の高さを１５ｍｍで固定した場合の実験結果に基づいて、小型端部侵入口２０及び小型上部侵入口２４の下縁部の長さ寸法Ｗ３、Ｗ４を６０ｍｍに設定し、小型側部侵入口２５の下縁部の長さ寸法Ｗ５を５０ｍｍに設定している。
【００５１】
上記実施形態では、小型端部侵入口２０、小型上部侵入口２４及び小型側部侵入口２５の上下方向の寸法Ｈ３、Ｈ４、Ｈ５を１５ｍｍに設定しているが、これら侵入口２０、２４、２５の上下方向の寸法Ｈ３、Ｈ４、Ｈ５は、１５ｍｍに限られるものではなく、上記した８ｍｍ以上１７ｍｍ以下の範囲であればよい。また、大型端部侵入口１０及び大型側部侵入口１５の上下方向の寸法Ｈ１、Ｈ２を３０ｍｍに設定しているが、これら侵入口１０、１５の上下方向の寸法Ｈ１、Ｈ２は、３０ｍｍに限られるものではなく、上記した２３ｍｍ以上４５ｍｍ以下の範囲であればよい。
【００５２】
以上説明したように、この実施形態に係るゴキブリ捕獲器１によれば、小型端部侵入口２０、小型上部侵入口２４及び小型側部侵入口２５の上下方向の寸法Ｈ３、Ｈ４、Ｈ５を８ｍｍ以上１７ｍｍ以下の範囲で設定し、大型端部侵入口１０及び大型側部侵入口１５の上下方向の寸法Ｈ１、Ｈ２を２３ｍｍ以上４５ｍｍ以下の範囲で設定したので、種類の異なるゴキブリ間やそれらの雄、雌及び卵鞘を持った雌の間で略共通した習性を利用して捕獲率を高めることができる。これにより、ゴキブリの種類や性別等によらずゴキブリを効率良く捕獲して駆除できる。
【００５３】
また、小型端部侵入口２０の上方に小型上部侵入口２４を設けた場合には、以下に示す実験結果から明らかなように、ゴキブリの捕獲率が向上する。この捕獲実験では、図１５（ａ）〜（ｃ）にそれぞれ示す試験容器Ｓ１〜Ｓ３を用意し、該試験容器Ｓ１〜Ｓ３を図１６に示すように試験フィールドＦ１〜Ｆ３の隅近傍に配置する。これら試験容器Ｓ１〜Ｓ３の長手方向の寸法は、全て同じ１００ｍｍに設定されている。試験容器Ｓ１には、長手方向の両端面に侵入口Ａがそれぞれ形成されており、これら２つの侵入口Ａの上下方向の寸法は１５ｍｍに設定され、幅方向の寸法は９０ｍｍに設定されている。また、試験容器Ｓ２にも、長手方向の両端面に侵入口Ａがそれぞれ形成されており、これら２つの侵入口Ａの上下方向の寸法は、３０ｍｍに設定され、幅方向の寸法は９０ｍｍに設定されている。また、試験容器Ｓ３には、上記小型端部侵入口２０及び小型上部侵入口２４にそれぞれ対応する侵入口Ａ１及びＡ２が形成され、さらに、上記大型端部侵入口１０に対応する侵入口Ａ３が形成されている。侵入口Ａ１及びＡ２は、同じ形状であり、上下方向の寸法は、１５ｍｍに設定され、幅方向の寸法は９０ｍｍに設定されている。侵入口Ａ３の上下方向の寸法は、３０ｍｍに設定され、幅方向の寸法は９０ｍｍに設定されている。一方、試験フィールドＦ１〜Ｆ３は同じ形状であり、１．８ｍ×１．３ｍの広さとされている。この捕獲実験では、上記試験フィールドＦ１〜Ｆ３の略中心部で供試虫を放し所定時間放置しておく。１回の捕獲実験で用いる供試虫は、チャバネゴキブリの雄４匹、雌４匹及び卵鞘を持った雌４匹と、クロゴキブリの雄４匹及び雌４匹と、ワモンゴキブリの雄３匹及び雌３匹である。捕獲実験は３回行い、図１７に示す実験結果が得られた。この実験結果によれば、チャバネゴキブリ、クロゴキブリ及びワモンゴキブリの捕獲数が、試験容器Ｓ３で最も多いことが分かる。このことより、１つの試験容器Ｓ３に、上下方向に２つの小型侵入口Ａ１、Ａ２を並べて形成し、さらに大型の侵入口Ａ３を形成することで、ゴキブリの捕獲率が向上するといえる。
【００５４】
つまり、上記実施形態の容器１のように、上下方向の寸法が大型端部侵入口１０よりも短い小型端部侵入口２０の上方に、小型上部侵入口２４を形成することで、容器２をコンパクトにしながら、ゴキブリの捕獲率を高めることができる。
【００５５】
また、小型端部侵入口２０、小型上部侵入口２４及び小型側部侵入口２５を互いに離して設けることにより、高い捕獲率を得ることが可能な形状の侵入口が容器２に複数設けられることになり、ゴキブリの捕獲率をより一層高めることができる。また、大型端部侵入口１０及び大型側部侵入口１５を互いに離して設けることにより、同様に、ゴキブリの捕獲率をより一層高めることができる。
【００５６】
尚、上下方向の寸法が８ｍｍ以上１７ｍｍ以下の範囲にある侵入口は１つであってもよいし、また、上下方向の寸法が２３ｍｍ以上４５ｍｍ以下の範囲にある侵入口も１つであってもよい。また、これら侵入口の位置は任意に設定することができる。
【００５７】
また、小型端部侵入口２０、小型上部侵入口２４及び小型側部侵入口２５の上下方向の寸法は、図１２に示す実験結果から明らかなように、下限値を１２ｍｍ以上とすることが捕獲率を向上させる点から好ましい。さらに、大型端部侵入口１０、大型側部侵入口１５の上下方向の寸法は、同様に、２５ｍｍ以上４０ｍｍ以下に設定することが好ましい。
【産業上の利用可能性】
【００５８】
以上説明したように、本発明に係るゴキブリ捕獲器は、例えば住居や飲食店等の一般的なゴキブリの生息環境で使用するのに適している。
【図面の簡単な説明】
【００５９】
【図１】本発明の実施形態に係るゴキブリ捕獲器を高天井部側から見た斜視図である。
【図２】ゴキブリ捕獲器を低天井部側から見た斜視図である。
【図３】ゴキブリ捕獲器の側面図である。
【図４】ゴキブリ捕獲器を小型端部侵入口側から見た図である。
【図５】ゴキブリ捕獲器を大型端部侵入口側から見た図である。
【図６】ゴキブリ捕獲器の平面図である。
【図７】試験容器の斜視図である。
【図８】試験フィールドの平面図である。
【図９】侵入口の上下方向の寸法とチャバネゴキブリの捕獲率との関係を示すグラフである。
【図１０】侵入口の上下方向の寸法とクロゴキブリの捕獲率との関係を示すグラフである。
【図１１】侵入口の上下方向の寸法とワモンゴキブリの捕獲率との関係を示すグラフである。
【図１２】侵入口の上下方向の寸法と３種類のゴキブリの捕獲率との関係を示すグラフである。
【図１３】侵入口の上下方向の寸法を１５ｍｍに固定した場合、侵入口の幅方向の寸法とチャバネゴキブリ及びクロゴキブリの捕獲率との関係を示すグラフである。
【図１４】侵入口の上下方向の寸法を３０ｍｍに固定した場合の図１３相当図である。
【図１５】（ａ）は試験容器Ｓ１の斜視図であり、（ｂ）は試験容器Ｓ２の斜視図であり、（ｃ）は試験容器Ｓ３の斜視図である。
【図１６】試験フィールドＦ１〜Ｆ３の平面図である。
【図１７】捕獲実験の結果を示す表である。
【符号の説明】
【００６０】
１          ゴキブリ捕獲器
２          容器
５          底壁部
６          周壁部
１０        大型端部侵入口（ゴキブリ侵入用の第２侵入口）
１５        大型側部侵入口（ゴキブリ侵入用の第２侵入口）
２０        小型端部侵入口（ゴキブリ侵入用の第１侵入口）
２４        小型上部侵入口（ゴキブリ侵入用の第３侵入口）
２５        小型側部侵入口（ゴキブリ侵入用の第１侵入口）
Ｒ          捕獲用空間
【図１】
2007159521.tif 000003
【図２】
2007159521.tif 000004
【図３】
2007159521.tif 000005
【図４】
2007159521.tif 000006
【図５】
2007159521.tif 000007
【図６】
2007159521.tif 000008
【図７】
2007159521.tif 000009
【図８】
2007159521.tif 000010
【図９】
2007159521.tif 000011
【図１０】
2007159521.tif 000012
【図１１】
2007159521.tif 000013
【図１２】
2007159521.tif 000014
【図１３】
2007159521.tif 000015
【図１４】
2007159521.tif 000016
【図１５】
2007159521.tif 000017
【図１６】
2007159521.tif 000018
【図１７】
2007159521.tif 000019